(57)【要約】【課題】薬剤の使用者に薬剤を適切に使用させることができ、また、薬剤の使用者に対してどのような薬剤が処方されているのかをお薬手帳を用いずに簡単に把握させることができる薬剤使用管理システム、薬剤使用管理方法を提供する。【解決手段】薬剤使用管理システム１００は、薬剤の用法及び／又は用量に関する情報の入力を受け付ける薬剤情報入力受付部１１１と、薬剤情報入力受付部１１１により入力された情報をお薬手帳情報として使用者毎に蓄積する蓄積部１１２と、蓄積部１１２に蓄積されたお薬手帳情報に基づいて、少なくとも薬剤を使用すべき日時に使用を行ったか否かの確認を各使用者に対して行う使用確認部１１３と、使用確認部１１３による確認結果をお薬手帳情報に反映してお薬手帳情報を更新するお薬手帳情報更新部１１４とを備える。【選択図】図１
2014106839.tif 000002
【特許請求の範囲】
【請求項１】
薬剤の用法及び／又は用量に関する情報の入力を受け付ける薬剤情報入力受付部と、
前記薬剤情報入力受付部により入力された情報を使用者毎に蓄積する蓄積部と、
前記蓄積部に蓄積された情報に基づいて、少なくとも薬剤を使用すべき日時に使用を行ったか否かの確認を各使用者に対して行う使用確認部と、
を備える薬剤使用管理システム。
【請求項２】
請求項１に記載の薬剤使用管理システムにおいて、
前記使用確認部は、少なくとも薬剤を使用すべき日時に使用者に対して情報の送信、又は、メールの送信を行うことにより報知を行うこと、
を特徴とする薬剤使用管理システム。
【請求項３】
請求項１又は請求項２に記載の薬剤使用管理システムにおいて、
前記使用確認部は、使用者に加えて、又は、使用者の代わりに、第三者に対しての使用確認が可能であること、
を特徴とする薬剤使用管理システム。
【請求項４】
請求項１から請求項３までのいずれか１項に記載の薬剤使用管理システムにおいて、
前記蓄積部は、前記薬剤情報入力受付部により入力された情報をお薬手帳情報として使用者毎に蓄積し、
前記使用確認部による確認結果を前記お薬手帳情報に反映して前記お薬手帳情報を更新するお薬手帳情報更新部をさらに備えること、
を特徴とする薬剤使用管理システム。
【請求項５】
請求項１から請求項４までのいずれか１項に記載の薬剤使用管理システムにおいて、
前記蓄積部は、サーバに設けられており、
前記サーバに対してネットワークを介して接続可能な端末から前記蓄積部が蓄積する前記お薬手帳情報の閲覧が可能であること、
を特徴とする薬剤使用管理システム。
【請求項６】
請求項５に記載の薬剤使用管理システムにおいて、
処方内容をコード化するコード生成部を備え、
前記薬剤情報入力受付部は、前記コード生成部が生成したコードを前記サーバに対してネットワークを介して接続可能な端末が読み取ることにより取得した情報の入力を受け付けること、
を特徴とする薬剤使用管理システム。
【請求項７】
請求項１から請求項６までのいずれか１項に記載の薬剤使用管理システムにおいて、
薬剤に関する情報が記載された物品、及び／又は、薬剤を画像として読み込み可能な画像取得部を備え、
前記蓄積部は、前記画像取得部により読み込んだ画像そのもの、及び／又は、前記画像取得部により読み込んだ画像を文字列に変換して得た情報を蓄積可能であること、
を特徴とする薬剤使用管理システム。
【請求項８】
薬剤の用法及び／又は用量に関する情報の入力を受け付け、
入力された情報を使用者毎に蓄積し、
蓄積された情報に基づいて、少なくとも薬剤を使用すべき日時に使用を行ったか否かの確認を各使用者に対して行う、
薬剤使用管理方法。
【発明の詳細な説明】
【技術分野】
【０００１】
本発明は、病院や薬局において処方される薬剤の使用状況を管理する薬剤使用管理システム、薬剤使用管理方法に関するものである。
【背景技術】
【０００２】
従来、医療機関や、医療機関で処方された薬剤を取り扱う薬局等では、お薬手帳が用いられてきた。このお薬手帳には、処方された薬剤の種類、用法、用量が、例えば、ラベル印刷されて貼り付けられる。そして、薬剤の使用者（服用者）は、他の医療機関等を受診するときに、お薬手帳を見せるようにする。お薬手帳は、このような運用が適切に行われることにより、同時に服用することが望ましくない薬剤が処方されてしまうことを未然に防ぐ効果が期待されている。
【０００３】
しかし、お薬手帳は、一般的には、常時携帯するものではないので、医療機関等を受診するときに、持参を忘れるおそれが高かった。また、外出先等で急に受診したいような場合には、お薬手帳を持っている可能性が低く、その場合にも、お薬手帳を提示することができなかった。このように、お薬手帳には、適切に運用することが難しい場合が多いという問題があった。
【０００４】
一方、処方薬、市販薬を問わず、薬剤は、正しい用法及び用量を守って使用されることが重要であり、誤った用法や用量での使用は、薬剤が効きすぎてしまって危険であったり、薬剤の効力が失われてしまったりするおそれがある。薬剤の使用者が、うっかり服用し忘れたり、用量を誤って服用してしまったりした場合には、治療効果を十分に発揮できなかったり、副作用を生じてしまったりするおそれがあった。しかし、従来、薬剤の使用は、使用者が正しく服用することを前提としており、使用者が薬剤を正しく服用しているか否かは、医療機関等では、把握することができなかった。
【０００５】
薬剤の使用者が正しい用法及び用量を守って薬剤を使用できるようにする手法が、特許文献１に開示されている。
しかし、特許文献１の手法では、例えば、複数の病院で同じ薬剤が処方されることを防ぐことができなかった。したがって、特許文献１の手法では、このような問題を解決するためには、従来と同様にお薬手帳を適切に運用することが求められるという問題があった。
【先行技術文献】
【特許文献】
【０００６】
【特許文献１】特開２００４−２１３４１６号公報
【発明の概要】
【発明が解決しようとする課題】
【０００７】
本発明の課題は、薬剤の使用者に薬剤を適切に使用させることができ、また、薬剤の使用者に対してどのような薬剤が処方されているのかをお薬手帳を用いずに簡単に把握させることができる薬剤使用管理システム、薬剤使用管理方法を提供することである。
【課題を解決するための手段】
【０００８】
本発明は、以下のような解決手段により、前記課題を解決する。
【０００９】
請求項１の発明は、薬剤の用法及び／又は用量に関する情報の入力を受け付ける薬剤情報入力受付部と、前記薬剤情報入力受付部により入力された情報を使用者毎に蓄積する蓄積部と、前記蓄積部に蓄積された情報に基づいて、少なくとも薬剤を使用すべき日時に使用を行ったか否かの確認を各使用者に対して行う使用確認部と、を備える薬剤使用管理システムである。
【００１０】
請求項２の発明は、請求項１に記載の薬剤使用管理システムにおいて、前記使用確認部は、少なくとも薬剤を使用すべき日時に使用者に対して情報の送信、又は、メールの送信を行うことにより報知を行うこと、を特徴とする薬剤使用管理システムである。
【００１１】
請求項３の発明は、請求項１又は請求項２に記載の薬剤使用管理システムにおいて、前記使用確認部は、使用者に加えて、又は、使用者の代わりに、第三者に対しての使用確認が可能であること、を特徴とする薬剤使用管理システムである。
【００１２】
請求項４の発明は、請求項１から請求項３までのいずれか１項に記載の薬剤使用管理システムにおいて、前記蓄積部は、前記薬剤情報入力受付部により入力された情報をお薬手帳情報として使用者毎に蓄積し、前記使用確認部による確認結果を前記お薬手帳情報に反映して前記お薬手帳情報を更新するお薬手帳情報更新部をさらに備えること、を特徴とする薬剤使用管理システムである。
【００１３】
請求項５の発明は、請求項１から請求項４までのいずれか１項に記載の薬剤使用管理システムにおいて、前記蓄積部は、サーバに設けられており、前記サーバに対してネットワークを介して接続可能な端末から前記蓄積部が蓄積する前記お薬手帳情報の閲覧が可能であること、を特徴とする薬剤使用管理システムである。
【００１４】
請求項６の発明は、請求項５に記載の薬剤使用管理システムにおいて、処方内容をコード化するコード生成部を備え、前記薬剤情報入力受付部は、前記コード生成部が生成したコードを前記サーバに対してネットワークを介して接続可能な端末が読み取ることにより取得した情報の入力を受け付けること、
を特徴とする薬剤使用管理システムである。
【００１５】
請求項７の発明は、請求項１から請求項６までのいずれか１項に記載の薬剤使用管理システムにおいて、薬剤に関する情報が記載された物品、及び／又は、薬剤を画像として読み込み可能な画像取得部を備え、前記蓄積部は、前記画像取得部により読み込んだ画像そのもの、及び／又は、前記画像取得部により読み込んだ画像を文字列に変換して得た情報を蓄積可能であること、を特徴とする薬剤使用管理システムである。
【００１６】
請求項８の発明は、薬剤の用法及び／又は用量に関する情報の入力を受け付け、入力された情報を使用者毎に蓄積し、蓄積された情報に基づいて、少なくとも薬剤を使用すべき日時に使用を行ったか否かの確認を各使用者に対して行う、薬剤使用管理方法である。
【発明の効果】
【００１７】
本発明によれば、薬剤の使用者に薬剤を適切に使用させることができ、また、薬剤の使用者に対してどのような薬剤が処方されているのかをお薬手帳を用いずに簡単に把握させることができる。
【図面の簡単な説明】
【００１８】
【図１】本発明の薬剤使用管理システムの第１実施形態の概略を示す図である。
【図２】第１実施形態の病院端末１２０の構成を示す概略ブロック図である。
【図３】第１実施形態の使用者端末１３０の構成を示す概略ブロック図である。
【図４】第１実施形態の薬剤使用管理システム１００の動作を示すフローチャートである。
【図５】本発明の薬剤使用管理システムの第２実施形態の概略を示す図である。
【図６】第２実施形態の病院端末２２０の構成を示す概略ブロック図である。
【図７】第２実施形態の使用者端末１３０の構成を示す概略ブロック図である。
【図８】第２実施形態の薬剤使用管理システム２００の動作を示すフローチャートである。
【図９】２次元コードを印刷した処方薬リストの例を示す図である。
【図１０】本発明の薬剤使用管理システムの第３実施形態の概略を示す図である。
【図１１】第３実施形態の薬剤使用管理システム３００の動作を示すフローチャートである。
【図１２】本発明の薬剤使用管理システムの第４実施形態の概略を示す図である。
【図１３】第４実施形態の使用者端末１３０の構成を示す概略ブロック図である。
【図１４】図１４は、第４実施形態の薬剤使用管理システム４００の動作を示すフローチャートである。
【図１５】お薬袋を撮影する状態を示す図である。
【発明を実施するための形態】
【００１９】
以下、本発明を実施するための最良の形態について図面等を参照して説明する。
【００２０】
（第１実施形態）
図１は、本発明の薬剤使用管理システムの第１実施形態の概略を示す図である。
薬剤使用管理システム１００は、サーバ１１０と、病院端末１２０と、使用者端末１３０とを有している。
【００２１】
サーバ１１０は、ネットワークＮに接続されたサーバであって、薬剤情報入力受付部１１１と、蓄積部１１２と、使用確認部１１３と、お薬手帳情報更新部１１４とを備えている。なお、ネットワークＮは、例えば、インターネットを用いることができるが、携帯電話通信網等を用いてもよい。
【００２２】
薬剤情報入力受付部１１１は、病院端末１２０から薬剤の用法及び／又は用量に関する情報の入力を受け付ける。
【００２３】
蓄積部１１２は、薬剤情報入力受付部１１１により入力された情報をお薬手帳情報として使用者毎に蓄積する。ここで、お薬手帳情報とは、従来の手帳形態の「お薬手帳」に近い役割を本薬剤使用管理システム上で取り扱うデータの形にしたものである。したがって、実際に「お薬手帳」が存在するか否かは問わない。お薬手帳情報に含まれる情報としては、使用者の個人情報、薬剤の用法及び用量、効能、副作用等の、従来のお薬手帳に記載されるような情報の他、後述する使用確認の結果から得られる薬剤の使用状況等が含まれる。
また、使用者とは、薬剤を服用等する患者等を指している。ここで、使用とは、服用の他、患者等への塗布や、吸引等、薬剤を患者等へ用いる行為の全体を指している。
なお、蓄積部１１２は、薬剤情報入力受付部１１１により入力された情報をお薬手帳情報として蓄積するが、既に同じ使用者のお薬手帳情報が存在する場合には、後述のお薬手帳情報更新部１１４が新たに入力された情報を追加する形でお薬手帳情報を更新する。
【００２４】
使用確認部１１３は、蓄積部１１２に蓄積されたお薬手帳情報に基づいて、薬剤を使用すべき日時に薬剤の使用を行ったか否かの確認のコマンド（以下、確認コマンド）を使用者端末１３０へ送ることにより各使用者に対して行う。本実施形態では、単なる確認だけでなく、使用すべき日時に使用を促すことも行う。すなわち、使用確認部１１３は、お薬手帳情報に基づいて、薬剤を使用すべき日時になったら、後述の使用者端末１３０に対してその旨の催促情報を送る。催促情報を受け取った使用者端末１３０では、使用者に対して薬剤の使用を促す表示等を行う。また、使用者端末１３０では、薬剤の使用をしたか否かの確認を併せて行う表示等を行う。この表示等に対して、使用者が使用をしたか否かの入力を行うと、使用者端末１３０は、サーバ１１０へ薬剤使用の確認結果を送り返す。使用確認部１１３は、使用者端末１３０から受け取った確認結果を、お薬手帳情報更新部１１４へ伝える。なお、使用確認部１１３が使用確認を行う詳細なスケジュールは、使用者端末１３０から任意に設定可能としてもよい。
【００２５】
お薬手帳情報更新部１１４は、使用確認部１１３による確認結果をお薬手帳情報に反映してお薬手帳情報を更新する。使用確認部１１３は、お薬手帳情報に基づいて、薬剤を使用すべき日時の全てにおいて、薬剤の使用の催促及び確認を行う。そして、その都度、お薬手帳情報更新部１１４は、お薬手帳情報の更新を行う。
【００２６】
病院端末１２０は、病院、又は、薬局に設置され、ネットワークＮに接続された端末である。病院端末１２０は、ネットワークＮを介してサーバ１１０に接続可能である。病院端末１２０は、例えば、パーソナルコンピュータ等に薬剤使用管理システム１００に対応した専用のソフトウェアをインストールして実行させることにより、実現できる。
図１の例では、病院端末１２０として、Ａ病院の病院端末１２０−Ａと、Ｂ病院の病院端末１２０−Ｂと、Ｃ薬局の病院端末１２０−Ｃと、Ｄ薬局の病院端末１２０−ＤとがネットワークＮを介してサーバ１１０に接続されている。なお、図１の病院端末１２０の接続数は、一例に過ぎない。
【００２７】
図２は、第１実施形態の病院端末１２０の構成を示す概略ブロック図である。
病院端末１２０は、使用者ＩＤ入力部１２１と、お薬手帳情報閲覧部１２２と、処方内容入力部１２３とを備えている。
【００２８】
使用者ＩＤ入力部１２１は、患者（使用者）に固有の識別番号（ＩＤ  ｎｕｍｂｅｒ）の入力を受け付ける。この識別番号は、例えば、病院毎に異なる診察券番号と紐付けて記憶されていてもよい。すなわち、病院では、診察券番号を入力すると、この診察券番号に対応する識別番号が自動的に入力されるようにしてもよい。この識別番号は、お薬手帳情報と１対１で対応している。なお、入力された識別番号が新規な番号である場合には、新たな識別番号として取り扱われ、蓄積部１１２には、新たなお薬手帳情報が生成される。この場合には、使用者の名前や住所、性別、生年月日等の個人情報の入力も併せて行われる。この個人情報の入力は、例えば、診察券番号から電子的なカルテより引用されるなどしてもよい。
【００２９】
お薬手帳情報閲覧部１２２は、使用者ＩＤ入力部１２１に入力された識別番号に対応するお薬手帳情報をサーバ１１０の蓄積部１１２から読み取り、病院の操作者に閲覧可能とさせる。病院の操作者（例えば、医師、薬剤師等）は、お薬手帳情報を閲覧することにより、使用者（患者）が過去及び現在使用（服用）している薬剤を知ることができる。これにより、不適切な処方を避けることができる。
【００３０】
処方内容入力部１２３は、病院の操作者から、処方する薬剤の種類と、用法と、用量との入力を受け付ける。処方内容入力部１２３により入力された情報は、サーバ１１０の薬剤情報入力受付部１１１へ伝えられる。
【００３１】
図１に戻って、使用者端末１３０は、ネットワークＮに接続された使用者が使用する端末である。使用者端末１３０は、ネットワークＮを介してサーバ１１０に接続可能である。使用者端末１３０としては、例えば、スマートフォンを含む携帯電話端末のような、使用者が常に携帯可能な端末であることが望ましいが、使用者の所有するパーソナルコンピュータや、本薬剤使用管理システム１００に専用の端末であってもよい。スマートフォン等を使用者端末１３０として用いるためには、本薬剤使用管理システム１００に専用のソフトウェア（アプリケーション）をインストールして実行するとよい。
図１の例では、使用者端末１３０として、使用者Ｅの使用者端末１３０−Ｅと、使用者Ｆの使用者端末１３０−Ｆと、使用者Ｇの使用者端末１３０−ＧとがネットワークＮを介してサーバ１１０に接続されている。なお、図１の使用者端末１３０の接続数は、一例に過ぎない。
【００３２】
図３は、第１実施形態の使用者端末１３０の構成を示す概略ブロック図である。
使用者端末１３０は、使用者ＩＤ入力部１３１と、端末内蓄積部１３２と、お薬手帳情報閲覧部１３３と、使用確認受信部１３４と、使用確認送信部１３５とを備えている。
【００３３】
使用者ＩＤ入力部１３１は、病院端末１２０の使用者ＩＤ入力部１２１と同様に、使用者に固有の識別番号の入力を受け付ける。なお、使用者ＩＤ入力部１３１への入力は、初回の設定時のみに行われるようにしてもよい。
【００３４】
端末内蓄積部１３２は、サーバ１１０の蓄積部１１２に蓄積されているお薬手帳情報と同等な情報（使用者端末内お薬手帳情報）を蓄積する。この端末内蓄積部１３２に蓄積されている使用者端末内お薬手帳情報は、サーバ１１０の蓄積部１１２に蓄積されているお薬手帳情報が更新される度に同期される。
【００３５】
お薬手帳情報閲覧部１３３は、使用者端末１３０において、お薬手帳情報閲覧部１２２は、使用者ＩＤ入力部１３１に入力された識別番号に対応するお薬手帳情報をサーバ１１０の蓄積部１１２から読み取り、使用者に閲覧可能とさせる。また、お薬手帳情報閲覧部１３３は、ネットワークＮを介した通信が困難な場合等には、端末内蓄積部１３２に蓄積されている使用者端末内お薬手帳情報を使用者に閲覧可能とさせる。このように、使用者は、お薬手帳情報を閲覧することにより、自分に処方されている薬剤の用法や用量等をオンライン、オフラインに関わらず、いつでも、簡単に確認することができる。
【００３６】
使用確認受信部１３４は、サーバ１１０の使用確認部１１３からの薬剤を使用すべき日時に薬剤の使用を行ったか否かの確認コマンドを受信する。使用確認受信部１３４は、この確認コマンドを受信したら、使用者に対して、薬剤の使用日時になったことを示して、薬剤の使用を促し、かつ、薬剤を適切に使用したか否かの入力を使用者に対して要求する表示等を行う。
【００３７】
使用確認送信部１３５は、使用者によって入力された、薬剤を適切に使用したか否かの入力結果を、サーバ１１０の使用確認部１１３へ送る。
【００３８】
次に、第１実施形態の薬剤使用管理システム１００の動作を説明する。
図４は、第１実施形態の薬剤使用管理システム１００の動作を示すフローチャートである。
【００３９】
ステップ（以下、単にＳとする）１１０では、病院（又は、薬局）の操作者の操作により、病院端末１２０において、お薬手帳情報閲覧部１２２がお薬手帳情報の閲覧をサーバ１１０へ行い、サーバ１１０の蓄積部１１２からお薬手帳情報を受け取り、閲覧可能とする。このお薬手帳情報の閲覧は、別の病院からでも行うことができる。すなわち、お薬手帳情報は、従来のお薬手帳のように、病院等へ持参し忘れたとしても、サーバ１１０にアクセスすることにより、他の病院で処方された薬剤の情報を確認することができる。
【００４０】
Ｓ１１１では、Ｓ１１０の要求に応じて、サーバ１１０は、蓄積部１１２のお薬手帳情報を病院端末１２０へ開示する。
【００４１】
Ｓ１１２では、病院（又は、薬局）の操作者の操作により、病院端末１２０において、処方内容入力部１２３により処方箋の内容が入力される。入力された処方箋の内容は、サーバ１１０へ送られる。
【００４２】
Ｓ１１３では、サーバ１１０は、薬剤情報入力受付部１１１が、病院端末１２０から処方箋の内容を受け付ける。そして、この受け付けた内容を用いて、お薬手帳情報更新部１１４が蓄積部１１２に蓄積されているお薬手帳情報を更新する。また、お薬手帳情報更新部１１４は、使用者端末１３０に対して、お薬手帳情報の更新内容を送信する。
【００４３】
Ｓ１１４では、使用者端末１３０において、サーバ１１０のお薬手帳情報更新部１１４から受信したお薬手帳情報の更新内容に基づいて、端末内蓄積部１３２に蓄積されている端末内お薬手帳情報を更新して、情報の同期を行う。
【００４４】
Ｓ１１５では、サーバ１１０において、使用確認部１１３が、お薬手帳情報に基づいて、薬剤を使用すべき日時になった時点で、使用者端末１３０に対して、確認コマンドを送信して、使用の確認を行う。
【００４５】
Ｓ１１６では、使用者端末１３０において、使用確認受信部１３４がサーバ１１０の使用確認部１１３から確認コマンドを受信する。そして、使用を促す表示や音声の発生等を行い、かつ、使用確認を使用者に対して行う。
【００４６】
Ｓ１１７では、使用者端末１３０において、使用者が、薬剤を適切に使用したか否かの入力（使用結果の入力）を行う。この入力は、例えば、使用者端末１３０に表示された薬剤の使用済みボタンをタッチする等、簡単な操作により行えることが望ましい。また、音声入力等を利用してもよい。入力された使用結果は、サーバ１１０へ送られる。
【００４７】
Ｓ１１８では、サーバ１１０において、使用確認部１１３が使用者端末１３０から使用結果を受信し、お薬手帳情報更新部１１４が蓄積部１１２に蓄積されているお薬手帳情報に、使用結果の内容を反映して更新する。また、お薬手帳情報更新部１１４は、使用者端末１３０に対して、お薬手帳情報の更新内容を送信する。
【００４８】
Ｓ１１９では、使用者端末１３０において、サーバ１１０のお薬手帳情報更新部１１４から受信したお薬手帳情報の更新内容に基づいて、端末内蓄積部１３２に蓄積されている端末内お薬手帳情報を更新して、情報の同期を行う。
【００４９】
以上説明したように、第１実施形態の薬剤使用管理システム１００は、病院端末１２０を有する病院であれば、お薬手帳情報の閲覧により、他の病院で処方された薬剤に関する情報の取得が可能である。よって、従来のようにお薬手帳を持参しなくても、使用している薬剤に関する情報を確認でき、病院や薬局では、適切な処方を行うことができる。
また、薬剤使用管理システム１００は、お薬手帳情報に基づいて、使用者に対して薬剤の使用を促し、使用の確認を行うので、薬剤の使用し忘れを防止でき、かつ、使用状況を病院等でも把握できる。その上、複数の病院から薬剤が処方されていても、それらをまとめて、使用確認できるので、複数の病院等から別々に催促のメールが届くといった煩わしさもない。
【００５０】
（第２実施形態）
図５は、本発明の薬剤使用管理システムの第２実施形態の概略を示す図である。
第２実施形態の薬剤使用管理システム２００では、ネットワークＮに接続されていない病院や薬局の病院端末２２０（図５の例では、２２０−Ｈ，２２０−Ｉ）においても、お薬手帳情報を活用できるようにした点のみが、第１実施形態の薬剤使用管理システム１００と異なっている。よって、前述した第１実施形態と同様の機能を果たす部分には、同一の符号を付して、重複する説明を適宜省略する。なお、第２実施形態の薬剤使用管理システム２００では、病院端末２２０の他に、第１実施形態と同様なネットワークＮに接続された病院端末１２０が混在して使用可能である。
【００５１】
図６は、第２実施形態の病院端末２２０の構成を示す概略ブロック図である。
第２実施形態の病院端末２２０は、第１実施形態と同様な使用者ＩＤ入力部１２１と、処方内容入力部１２３とに加えて、コード生成部１２４と、コード印刷部１２５とを備えている。なお、第２実施形態の病院端末２２０は、お薬手帳情報閲覧部１２２は備えていない。
【００５２】
コード生成部１２４は、処方内容入力部１２３により入力された処方箋の処方内容をコード化する。コード生成部１２４は、例えば、処方内容を所定のフォーマットにしたがった文字列として、その文字列を２次元コード化する。
【００５３】
コード印刷部１２５は、コード生成部１２４が生成した処方内容を表すコードを、例えば、ラベルに印刷したり、薬袋に印刷したりする。
【００５４】
図７は、第２実施形態の使用者端末１３０の構成を示す概略ブロック図である。
第２実施形態の使用者端末１３０は、第１実施形態と同様な使用者ＩＤ入力部１３１と、端末内蓄積部１３２と、お薬手帳情報閲覧部１３３と、使用確認受信部１３４と、使用確認送信部１３５とに加えて、コード読み取り部１３６を備えている。
【００５５】
コード読み取り部１３６は、コード読み取り可能なカメラ（不図示）と、カメラにより読み取られたコードの内容を解読する処理部とからなる。コード読み取り部１３６は、使用者が病院等から薬剤を処方されたときに受け取ったコードを読み取り、その内容を解読する。
【００５６】
次に、第２実施形態の薬剤使用管理システム２００の動作を説明する。
図８は、第２実施形態の薬剤使用管理システム２００の動作を示すフローチャートである。なお、第２実施形態では、第１実施形態と同様な動作も行うことができるが、この図８を用いる説明では、ネットワークＮに接続されていない病院端末２２０（図５では、病院端末２２０−Ｈ，２２０−Ｉ）を用いる場合について説明する。
【００５７】
Ｓ２１０では、使用者は、使用者端末１３０のお薬手帳情報閲覧部１３３を用いて、サーバ１１０の蓄積部１１２に蓄積されたお薬手帳情報を閲覧する。そして、使用者は、ネットワークＮに接続されていない病院端末２２０が設置されている病院等で、病院側（薬局側）の担当者、例えば、医師や薬剤師等に使用者端末１３０を提示して、お薬手帳情報を閲覧させる。なお、このときに、使用者端末１３０からもネットワークＮに接続できない場合には、使用者は、端末内蓄積部１３２に蓄積されている端末内お薬手帳情報を閲覧して提示してもよい。
【００５８】
Ｓ２１１では、サーバ１１０は、Ｓ２１０における閲覧要求を受けて、蓄積部１１２に蓄積されたお薬手帳情報を開示する。
【００５９】
Ｓ２１２では、お薬手帳情報を閲覧した医師や薬剤師等は、適切な薬剤を選択して処方する。そして、病院端末２２０では、処方内容入力部１２３が、医師や薬剤師等から、処方箋の内容の入力を受ける。
【００６０】
Ｓ２１３では、コード生成部１２４は、処方内容入力部１２３が入力を受けた処方箋の内容を２次元コード化する。また、コード印刷部１２５は、生成した２次元コードを処方薬と共に使用者に渡す処方薬リストやラベル等に印刷する。
図９は、２次元コードを印刷した処方薬リストの例を示す図である。
図９の例では、処方薬リストへ２次元コードを印刷しているが、薬袋に印刷したり、上述したように、ラベルに印刷したりしてもよい。
【００６１】
Ｓ２１４では、使用者端末１３０は、コード読み取り部１３６によりコード印刷部１２５が印刷したコードを読み取る。
【００６２】
Ｓ２１５では、使用者端末１３０において、コード読み取り部１３６が読み取ったコードから、処方内容の取得を行う。また、使用者端末１３０は、コードから取得した処方内容をサーバ１１０の薬剤情報入力受付部１１１へ送る。
【００６３】
Ｓ２１６では、サーバ１１０において、使用者端末１３０から送られたコードから取得した処方内容を、お薬手帳情報更新部１１４がお薬手帳情報に反映させる更新を行う。また、お薬手帳情報更新部１１４は、更新後のお薬手帳情報の内容を使用者端末１３０へ送る。
【００６４】
Ｓ２１７では、使用者端末１３０において、端末内蓄積部１３２に蓄積されている端末内お薬手帳情報を更新して、情報の同期を行う。
【００６５】
Ｓ２１８では、サーバ１１０において、使用確認部１１３が、お薬手帳情報に基づいて、薬剤を使用すべき日時になった時点で、使用者端末１３０に対して、確認コマンドを送信して、使用の確認を行う。
【００６６】
Ｓ２１９では、使用者端末１３０において、使用確認受信部１３４がサーバ１１０の使用確認部１１３から確認コマンドを受信する。そして、使用を促す表示や音声の発生等をおこない、かつ、使用確認を使用者に対して行う。
【００６７】
Ｓ２２０では、使用者端末１３０において、使用者が、薬剤を適切に使用したか否かの入力（使用結果の入力）を行う。入力された使用結果は、サーバ１１０へ送られる。
【００６８】
Ｓ２２１では、サーバ１１０において、使用確認部１１３が使用者端末１３０から使用結果を受信し、お薬手帳情報更新部１１４が蓄積部１１２に蓄積されているお薬手帳情報に、使用結果の内容を反映して更新する。また、お薬手帳情報更新部１１４は、使用者端末１３０に対して、お薬手帳情報の更新内容を送信する。
【００６９】
Ｓ２２２では、使用者端末１３０において、サーバ１１０のお薬手帳情報更新部１１４から受信したお薬手帳情報の更新内容に基づいて、端末内蓄積部１３２に蓄積されている端末内お薬手帳情報を更新して、情報の同期を行う。
【００７０】
以上説明したように、第２実施形態の薬剤使用管理システム２００は、ネットワークＮに接続されていない病院端末２２０を有する病院であっても、処方内容をコード化することにより、第１実施形態と同様な効果を奏することができる。病院端末２２０は、処方内容をコード化して印刷すればよいだけなので、ネットワークＮに接続された病院端末１２０よりも簡易な形態にでき、本システムの導入を容易に行える。
【００７１】
（第３実施形態）
図１０は、本発明の薬剤使用管理システムの第３実施形態の概略を示す図である。
第３実施形態の薬剤使用管理システム３００では、特定の使用者の場合には、使用者へ使用確認を行うのではなく、第三者へ使用確認を行う点が、第１実施形態と異なっている。よって、前述した第１実施形態と同様の機能を果たす部分には、同一の符号を付して、重複する説明を適宜省略する。
【００７２】
第三者端末１４０は、特定の使用者の場合に、使用者に代わり薬剤使用に関わる第三者が用いる端末である。ここで、特定の使用者とは、例えば、高齢者や認知症の進んだ方等、自ら薬剤の使用管理を行うことが困難な患者等であり、本システムのお薬手帳情報を作成するときに、予めその旨の登録がなされた人を指す。これら特定の使用者については、例えば、家族等の介護者を、第三者としてお薬手帳情報に登録する。この登録された第３者には、第三者端末１４０を所持してもらい、薬剤の実質的な管理者の役割を果たしてもらう。
【００７３】
第三者端末１４０の構成自体は、使用者端末１３０と同様な構成とすることができるので、ここでの詳細な説明は省略する。また、以下の説明では、理解を容易にするために、第三者端末１４０に対して使用確認を行うこととして、第三者が介護等をする使用者の有する使用者端末１３０に対しては、使用確認等を行わないものとして説明するが、この形態は、適宜変更可能である。
【００７４】
図１１は、第３実施形態の薬剤使用管理システム３００の動作を示すフローチャートである。
【００７５】
Ｓ３１０では、病院（又は、薬局）の操作者の操作により、病院端末１２０において、お薬手帳情報閲覧部１２２がお薬手帳情報の閲覧をサーバ１１０へ行い、サーバ１１０の蓄積部１１２からお薬手帳情報を受け取り、閲覧可能とする。
【００７６】
Ｓ３１１では、Ｓ３１０の要求に応じて、サーバ１１０は、蓄積部１１２のお薬手帳情報を病院端末１２０へ開示する。
【００７７】
Ｓ３１２では、病院（又は、薬局）の操作者の操作により、病院端末１２０において、処方内容入力部１２３により処方箋の内容が入力される。入力された処方箋の内容は、サーバ１１０へ送られる。
【００７８】
Ｓ３１３では、サーバ１１０は、薬剤情報入力受付部１１１が、病院端末１２０から処方箋の内容を受け付ける。そして、この受け付けた内容を用いて、お薬手帳情報更新部１１４が蓄積部１１２に蓄積されているお薬手帳情報を更新する。また、お薬手帳情報更新部１１４は、第三者端末１４０に対して、お薬手帳情報の更新内容を送信する。
【００７９】
Ｓ３１４では、第三者端末１４０において、サーバ１１０のお薬手帳情報更新部１１４から受信したお薬手帳情報の更新内容に基づいて、端末内蓄積部１３２に蓄積されている端末内お薬手帳情報を更新して、情報の同期を行う。
【００８０】
Ｓ３１５では、サーバ１１０において、使用確認部１１３が、お薬手帳情報に基づいて、薬剤を使用すべき日時になった時点で、第三者端末１４０に対して、確認コマンドを送信して、使用の確認を行う。
【００８１】
Ｓ３１６では、第三者端末１４０において、使用確認受信部１３４がサーバ１１０の使用確認部１１３から確認コマンドを受信する。そして、使用を促す表示や音声の発生等を行い、かつ、使用確認を第三者に対して行う。
本実施形態では、第三者が第三者端末１４０によって、薬剤を使用すべき日時になったことを知ることができる。よって、自ら薬剤の使用をすることが困難な特定の使用者に対して、第三者が適切な使用を介助等することができる。
【００８２】
Ｓ３１７では、第三者端末１４０において、使用者が、薬剤を適切に使用したか否かの入力（使用結果の入力）を行う。入力された使用結果は、サーバ１１０へ送られる。ここでも、第三者は、使用者に代わって薬剤の使用確認を行うことにより、自ら確認入力を行うことが困難な使用者について、使用確認が可能となる。
【００８３】
Ｓ３１８では、サーバ１１０において、使用確認部１１３が第三者端末１４０から使用結果を受信し、お薬手帳情報更新部１１４が蓄積部１１２に蓄積されているお薬手帳情報に、使用結果の内容を反映して更新する。また、お薬手帳情報更新部１１４は、第三者端末１４０に対して、お薬手帳情報の更新内容を送信する。
【００８４】
Ｓ３１９では、第三者端末１４０において、サーバ１１０のお薬手帳情報更新部１１４から受信したお薬手帳情報の更新内容に基づいて、端末内蓄積部１３２に蓄積されている端末内お薬手帳情報を更新して、情報の同期を行う。
【００８５】
上述した説明では、第三者端末１４０に対して使用確認を行うこととして、使用者端末１３０に対しては、使用確認等を行わなかった。しかし、本薬剤使用管理システム３００では、初期設定により、使用者端末１３０と第三者端末１４０との両方に対して使用確認を行うことができる。その場合には、上述した動作と第１実施形態の動作とを合わせた動作を行えばよい。この場合、使用確認については、使用者と第三者とのどちらの入力を優先するのかを選択可能としてもよいし、先に入力された方を優先してもよいし、両方の入力を記録するようにしてもよい。
【００８６】
以上説明したように、第３実施形態によれば、薬剤使用管理システム３００は、第三者端末１４０に対して薬剤の使用確認を行う。よって、使用者本人による薬剤の管理が困難な場合であっても、本薬剤使用管理システム３００を有効に利用可能である。
【００８７】
（第４実施形態）
図１２は、本発明の薬剤使用管理システムの第４実施形態の概略を示す図である。
第４実施形態の薬剤使用管理システム４００では、病院端末を用いなくとも、薬剤の使用管理を行うことができる点が、第１実施形態と異なっている。前述した第１実施形態と同様の機能を果たす部分には、同一の符号を付して、重複する説明を適宜省略する。
【００８８】
第４実施形態の薬剤使用管理システム４００では、病院端末を必要としない。すなわち、薬剤使用管理システム４００は、図１２に示すようにネットワークＮに接続する端末を有しないＪ病院により処方された薬剤についても、薬剤管理を行うことができるものである。なお、以下の説明では、ネットワークＮに接続する端末を有しないＪ病院により処方された薬剤を管理する例を示して説明をするが、薬剤使用管理システム４００は、上述の第１実施形態から第３実施形態において説明したように、病院端末１２０，２２０や第三者端末１４０等を含めてもよい。
【００８９】
図１３は、第４実施形態の使用者端末１３０の構成を示す概略ブロック図である。
第４実施形態の使用者端末１３０は、第１実施形態と同様な使用者ＩＤ入力部１３１と、端末内蓄積部１３２と、お薬手帳情報閲覧部１３３と、使用確認受信部１３４と、使用確認送信部１３５とに加えて、画像取得部１３７を備えている。
【００９０】
画像取得部１３７は、コード読み取り可能なカメラ（不図示）と、カメラにより読み取られた文字の内容を解析して文字列に変換するＯＣＲ部（不図示）とからなる。画像取得部１３７は、使用者が病院等から薬剤を処方されたときに受け取ったお薬袋の表示内容や、処方薬の内容を記した伝票等の、薬剤に関する情報が記載された物品を撮影した画像からＯＣＲにより文字列の情報を得て、薬剤に関する情報を取得する。また、画像取得部１３７は、薬剤を撮影して、薬剤の画像そのものを取得することもできる。なお、本実施形態では、画像取得部１３７がＯＣＲ機能を含む形態としたが、画像取得部１３７が取得した画像からＯＣＲにより文字列を取得する処理は、サーバ１１０において行うようにしてもよい。
なお、例えば、お薬袋に手書きで処方内容が記載されている場合等、撮影画像だけでは、処方内容を十分に取得できない場合には、使用者端末１３０を用いて手入力で処方内容を補足してもよい。
画像取得部１３７が取得した画像から得た文字列の情報や、薬剤の画像そのものは、サーバ１１０へ送られて、蓄積部１１２のお薬手帳情報に反映されて蓄積される。
【００９１】
次に、第４実施形態の薬剤使用管理システム４００の動作を説明する。
図１４は、第４実施形態の薬剤使用管理システム４００の動作を示すフローチャートである。なお、第４実施形態では、第１実施形態から第３実施形態と同様な動作も行うことができるが、この図１４を用いる説明では、本システムに対応した端末を持たないＪ病院（図１２）により処方された薬剤を管理する場合について説明する。
【００９２】
Ｓ４１０では、使用者は、使用者端末１３０のお薬手帳情報閲覧部１３３を用いて、サーバ１１０の蓄積部１１２に蓄積されたお薬手帳情報を閲覧する。そして、使用者は、ネットワークＮに接続されていないＪ病院で、病院側（薬局側）の担当者、例えば、医師や薬剤師等に使用者端末１３０を提示して、お薬手帳情報を閲覧させる。なお、このときに、使用者端末１３０からもネットワークＮに接続できない場合には、使用者は、端末内蓄積部１３２に蓄積されている端末内お薬手帳情報を閲覧して提示してもよい。
【００９３】
Ｓ４１１では、サーバ１１０は、Ｓ４１０における閲覧要求を受けて、蓄積部１１２に蓄積されたお薬手帳情報を開示する。
【００９４】
Ｓ４１２では、病院において、お薬手帳情報を閲覧した医師や薬剤師等は、適切な薬剤を選択して処方する。そして、病院では、処方内容を、例えば、お薬袋に印刷する。
【００９５】
Ｓ４１３では、病院において、お薬袋に薬剤が入れられて、使用者に渡される。
なお、上述したＳ４１１及びＳ４１２のステップは、本薬剤管理システム４００の動作ではないが、本薬剤管理システム４００の動作に関連した事項であるので、理解を容易にするために記載したものである。
【００９６】
Ｓ４１４では、使用者端末１３０は、画像取得部１３７によりお薬袋を撮影して、画像を取り込む。
図１５は、お薬袋を撮影する状態を示す図である。
使用者端末１３０としては、先に説明したように、スマートフォン等を用いることができる。図１５に示す例では、このスマートフォンに装備されているカメラの機能を用いて、お薬袋Ｐを撮影している。なお、先に説明したように、お薬袋に限らず、処方薬に関する情報が記載された処方薬リスト等を撮影してもよいし、薬剤自体を撮影してもよい。
【００９７】
図１４に戻って、Ｓ４１５では、使用者端末１３０において、Ｓ４１４で撮影したお薬袋の画像にＯＣＲ処理を行い、文字情報を得て、薬剤の処方内容を取得する。また、使用者端末１３０は、取得した処方内容、及び、画像データをサーバ１１０の薬剤情報入力受付部１１１へ送る。
【００９８】
Ｓ４１６では、サーバ１１０において、使用者端末１３０から送られた撮影画像から取得した処方内容を、お薬手帳情報更新部１１４がお薬手帳情報に反映させる更新を行う。また、お薬手帳情報更新部１１４は、更新後のお薬手帳情報の内容を使用者端末１３０へ送る。
【００９９】
Ｓ４１７では、使用者端末１３０において、端末内蓄積部１３２に蓄積されている端末内お薬手帳情報を更新して、情報の同期を行う。
【０１００】
Ｓ４１８では、サーバ１１０において、使用確認部１１３が、お薬手帳情報に基づいて、薬剤を使用すべき日時になった時点で、使用者端末１３０に対して、確認コマンドを送信して、使用の確認を行う。
【０１０１】
Ｓ４１９では、使用者端末１３０において、使用確認受信部１３４がサーバ１１０の使用確認部１１３から確認コマンドを受信する。そして、使用を促す表示や音声の発生等をおこない、かつ、使用確認を使用者に対して行う。ここで、本実施形態では、Ｓ４１４で撮影した薬剤の画像を提示して、どの薬剤を使用すべきであるのかを、よりわかりやすく示すことも可能である。
【０１０２】
Ｓ４２０では、使用者端末１３０において、使用者が、薬剤を適切に使用したか否かの入力（使用結果の入力）を行う。入力された使用結果は、サーバ１１０へ送られる。
【０１０３】
Ｓ４２１では、サーバ１１０において、使用確認部１１３が使用者端末１３０から使用結果を受信し、お薬手帳情報更新部１１４が蓄積部１１２に蓄積されているお薬手帳情報に、使用結果の内容を反映して更新する。また、お薬手帳情報更新部１１４は、使用者端末１３０に対して、お薬手帳情報の更新内容を送信する。
【０１０４】
Ｓ４２２では、使用者端末１３０において、サーバ１１０のお薬手帳情報更新部１１４から受信したお薬手帳情報の更新内容に基づいて、端末内蓄積部１３２に蓄積されている端末内お薬手帳情報を更新して、情報の同期を行う。
【０１０５】
以上説明したように、第４実施形態の薬剤使用管理システム４００は、本システムに対応した端末を持たない病院から処方された薬剤であっても、画像を撮影して取り込むことにより、第１実施形態と同様な効果を奏することができる。また、病院には、特別な端末が不要なので、本システムの導入を容易に行える。さらに、お薬袋等を撮影するだけで薬剤の情報の入力が可能であるので、誰にでも簡単に本システムの利用が可能となる。
【０１０６】
（変形形態）
以上説明した実施形態に限定されることなく、種々の変形や変更が可能であって、それらも本発明の範囲内である。
【０１０７】
各実施形態において、使用確認部１１３は、薬剤を使用すべき日時に薬剤の使用を行ったか否かの確認をする確認コマンドを使用者端末１３０へ送ることにより行う例を挙げて説明した。これに限らず、例えば、使用確認部から使用者端末に対して電子メールを送ることにより、確認を行うようにしてもよい。
【０１０８】
各実施形態において、薬剤使用管理システムは、処方薬を取り扱う場合を例に挙げて説明した。これに限らず、例えば、市販薬についても、本発明の薬剤使用管理システムにより管理を行ってもよい。その場合には、例えば市販薬の包装箱等に、薬剤の用法、用量をコード化したものを表示するとよい。このとき、お薬手帳情報には、使用者の年齢や性別といった個人情報が含まれているので、市販薬であっても、薬剤使用管理システムが適切な用量等を提示できる。
【０１０９】
なお、各実施形態及び変形形態は、適宜組み合わせて用いることもできるが、詳細な説明は省略する。また、本発明は以上説明した各実施形態によって限定されることはない。
【符号の説明】
【０１１０】
１００    薬剤使用管理システム
１１０    サーバ
１１１    薬剤情報入力受付部
１１２    蓄積部
１１３    使用確認部
１１４    お薬手帳情報更新部
１２０    病院端末
１２１    使用者ＩＤ入力部
１２２    お薬手帳情報閲覧部
１２３    処方内容入力部
１２４    コード生成部
１２５    コード印刷部
１３０    使用者端末
１３１    使用者ＩＤ入力部
１３２    端末内蓄積部
１３３    お薬手帳情報閲覧部
１３４    使用確認受信部
１３５    使用確認送信部
１３６    コード読み取り部
２００    薬剤使用管理システム
２２０    病院端末
【図１】
2014106839.tif 000003
【図２】
2014106839.tif 000004
【図３】
2014106839.tif 000005
【図４】
2014106839.tif 000006
【図５】
2014106839.tif 000007
【図６】
2014106839.tif 000008
【図７】
2014106839.tif 000009
【図８】
2014106839.tif 000010
【図９】
2014106839.tif 000011
【図１０】
2014106839.tif 000012
【図１１】
2014106839.tif 000013
【図１２】
2014106839.tif 000014
【図１３】
2014106839.tif 000015
【図１４】
2014106839.tif 000016
【図１５】
2014106839.tif 000017